(57)【要約】      （修正有）【課題】高太枝を高枝鋸で剪定・伐採の際、技が不安定に揺れ逃げるのを防止し、切断した枝を地上に落下させずに保持回収出来る高枝グリップ鋸を提供する。【解決手段】樹木枝をグリップするフック操作軸芯を包含した二重パイプ構造のポール柄状高枝鋸で、内側パイプには枝を掴み揺れを抑制するフック支持ポール１９の役目をさせ、外側パイプは内側パイプの外周面を任意にスライドする木挽スライドポール１４とし、鋸刃体１３と木挽把手１５を両端に固定して、木挽把手に加えるスライド木挽き動作と回転モーメント力を鋸刃体に伝達し、掴んだ状態にして枝を切り、また落下させずに切断と同時にフック１１で保持回収するグリップ式高枝鋸を実現させる。【選択図】図１
2006296393.tif 000002
【特許請求の範囲】
【請求項１】
樹木枝をグリップするフック操作軸芯と、その軸芯を包含する形の二重パイプ構造のポール柄状高枝鋸で、内側パイプは枝をグリップする支持ポール、外側パイプは内側パイプの外周面を任意にスライドする木挽スライドポールとし、高樹木の枝を掴んだ状態にして、鋸刃体で太枝を切断可能にしたグリップ式高枝鋸。
【請求項２】
スライド回転を可能とした鋸刃体を両刃構造の剪定鋸としたことと、フックが枝をグリップする位置と鋸刃体が枝に当たる位置に離隔をもたせたことで、枝の切断方法や、切断し終えた枝のフック保持力を大きく改善した、請求項１のグリップ式高枝鋸。
【発明の詳細な説明】
【技術分野】
【０００１】  本発明は直接手で掴んで切断し難い高樹木太枝の剪定伐採作業の効率化を図るグリップ式高枝鋸に関するものである。
【背景技術】
【０００２】  造園業者や果樹農家では、高枝鋏では切り難い太枝の剪定には，一般的に高枝鋸も利用しているが、従来の高枝鋸で高枝を切断しようとする際、枝が不安定に揺れ逃げてしまうことで、剪定作業を著しく不能率にしている。【０００３】  一般的な高枝鋏は枝を掴まえる点で問題はないが、太枝の切断能力にも、切った枝の保持力にも限界がある。また従来の高枝鋸では切断した太枝が直接地上に落下してしまうので、落下させられない作業環境下ではこれが使えない。
【発明の開示】
【発明が解決しようとする課題】
【０００４】（イ）高太枝を高枝鋸で剪定する場合、枝が不安定に揺れ逃げないように掴む方法と掴んだ状態で枝を伐採する方法を発明することで、剪定作業の効率化を図ることである。
（ロ）枝を的確に掴むことで効率的に剪定伐採出来るだけでなく、鋸刃体がその枝を切り離したと同時にグリップフックで地上に落下させずに保持・回収する機能化を図る事である。
【課題を解決するための手段】
【０００５】（イ）樹木枝をグリップするフック操作軸芯と、その軸芯を包含する形の二重パイプ構造のポール柄状高枝鋸で、内側パイプは枝をグリップする支持ポール、外側パイプは内側パイプの外周面を任意にスライドする木挽スライドポールとし、高い樹木の枝を掴んだ状態にして鋸刃体で太枝を切断可能にしたグリップ式高枝鋸とすることである。
（ロ）スライド回転を可能とした鋸刃体を両刃構造の剪定鋸とすることと、フックが枝をグリップする位置と鋸刃体が枝に当たる位置に離隔をもたせるようにして、切断の仕方や、切断し終わった枝のフック保持力を大き改善させるグリップ式高枝鋸とすることである。
【発明の効果】
【０００６】（イ）発明のグリップ式高枝鋸は、上記の課題解決手段を実現することにより、高樹木の太枝剪定を能率的にするのみならず、伐採枝を地上に落下させられないような作業環境下でも、切断枝を保持・回収でき、造園業者の作業制約条件緩和に役立つ。
（ロ）特殊な太枝用鋏も見受けるが太枝剪定にかなりの力を要したり、到達高さ的に短尺すぎて相応な足場の併用が不可欠であったりする。また一般的な高枝鋏では難しい太枝の切断能力や、切り取った枝の保持力の不足を、このグリップ式高枝鋸を使うことで補うことができ、剪定・伐採作業の労働軽減にもつながる。
【発明を実施するための最良の形態】
【０００７】  以下、本発明の実施の形態を図面に基づき説明するが、本発明はこれらに限定されるものではない。
特に部材の材質面において本発明品は取扱いの利便性から、軽量であることが望ましく、重量の中心となる二重パイプの管径も外側パイプでΦ２２ｍｍ，内側パイプでは両端部をΦ１９ｍｍ中間部はΦ１０ｍｍのアルミパイプが適材である。フック操作軸芯もΦ４ｍｍ程度の真鍮管で十分である。強度を必要とするグリップフック等は硬鋼棒材とし、フック受金やストッパー金具、フック緊緩レバー等は真鍮材で強度が確保できる。標準長２，７ｍのグリップ式高枝鋸の場合でも全重量を２Ｋｇ以下にするのが望ましい。また把手材は木材でもプラスチックでもよく、取付脚や、鋸固定金具は相応強度のアルミ材で加工するのが適当である。【０００８】  図１は本発明のグリップ式高枝鋸の使用状態を示す斜視図である。図１に示すようにグリップ式高枝鋸は、標準長２，７ｍのポール柄状としフック操作軸芯を包含した二重パイプ構造で、内側になるパイプ１９は先端側にグリップフック１０，フック受金１１、手元側にフック操作把手１８，フック緊緩レバー２２，ストッパー金具２０、ストッパー解放ピン２１，を装着して枝をグリップする支持ポールの役目を果たす。外側となるパイプ１４には、両端に木挽把手１５と鋸固定金具１２を固定し、把手に加えるスライド木挽き動作などを先端の鋸刃体に伝達するポールの役目を果たさせる。【０００９】  図２は標準長２，７ｍのグリップ式高枝鋸を３分割して主要部を示したものである。図２Ａのフック１０は５ｍｍ角の硬鋼棒で弓弦長は６０ｍｍの鉤状とする。フック受金１１はフック支持ポール先端に鋸歯状に円弧加工した真鍮厚板を巻き付けるようにＵ字形に固定して、グリップフックを引き締めた時、フック受金１１との間で噛合するようにして枝を掴む。【００１０】  図２Ａで木挽スライドポール１４の先端に固定される鋸固定金具１２は、８０ｍｍの翼状斜前方張出しとなるよう加工し、鋸刃体１３を先端に取付ける。鋸刃体は両刃剪定鋸としグリップフック１０を支点に円周方向にスライド回転可能とすることで、掴んだ枝に対しどちら側からでも所定の離隔をもって鋸刃を入れることが出来る。【００１１】  図２Ｂの木挽把手１５は木挽スライドポールの手元端に固定バンド２６で固定される。この把手はΦ３０ｍｍ、長さ２００ｍｍの木製丸棒で、それには長さ６０ｍｍの取付脚２５を設けることで、回転モーメント力を木挽スライドポールを通して先端の鋸刃体１３に伝達し、枝に食い込み易くする。【００１２】  フック支持ポールを心棒にして、その上をスライドする木挽スライドポール１４の両端切口部分には、緩衝コイルばね１６・１７、をフック支持ポール１９に貫通装着させることで、スライド動作の反発力も利用し前後１５０ｍｍの木挽きスライドストロークが確保され、木挽把手のスライド木挽き動作の円滑化が図られる。【００１３】  図２Ｃのフック操作把手１８はΦ３０ｍｍ、長さ３００ｍｍの木製丸棒で樹木枝のグリップ確保を助ける。その丸棒には長さ６０ｍｍの取付脚２５を設けフック支持ポール１９にバンドで固定される。そのポールの手元端には、フック緊緩レバー２２，とストッパー金具２０、ストッパー解放ピン２１，が装着され、フック緊緩レバーは操作リング２３により先端フックは伸縮される。【００１４】  フック緊緩レバー２２は鋸歯状加工した真鍮角棒を、フック支持ポールのレバーガイド筒３３と操作軸芯安定コイルばね３２を通してフック操作軸芯３１に連結する。ストッパー金具２０はレバーの鋸歯を跨ぐようにコイルばねの力を利用して取付け操作リングを引いてグリップフックの締付け度合いを任意に固定したり、解放ピン２１を上げて締付けを解放して自在に調整する。【００１５】  図３は、枝を掴むフック操作軸芯３１とそれを包含する形のフック支持ポール１９の構造を２分割して主要部分を示す。このフック支持ポールは標準長で２，６ｍ程になりパイプの重量を軽減させる目的で、フック側は３５０ｍｍ、手元側は５５０ｍｍの長さだけを管径Φ１９ｍｍとし、その中間部は管径Φ１０ｍｍでつないで、異径管連結ポールにして、管径２２ｍｍの木挽スライドポール１４の中を貫通させる構造とする。【００１６】  図３Ａはフック支持ポール１９の先端フック側で、グリップフック１０がフック受金１１に的確に噛合するように操作軸芯はフックガイド筒３０を通して角度補正する。フック支持ポール１９と木挽スライドポール１４は二重パイプ構造になってポール柄を構成する。【００１７】  図３Ｂはフック支持ポール１９の手元操作側で操作軸芯の伸縮を円滑にするため、フック支持ポールの手元端にはレバーガイド筒３３と操作軸芯安定コイルばね３２を配して、フック緊緩レバー２２を安定して操作出来るようにする。【００１８】  図４は、図４Ａが先端グリップフックとフック受金の取り付け状況及び鋸固定金具と鋸刃体の蝶ねじによる固定状況であり、図４Ｂは鋸歯状のフック緊緩レバーの操作部の状況とストッパー金具、ストッパー解放ピンの状況を示す斜視図である。
【産業上の利用可能性】
【００１９】  本発明品は、樹木の剪定伐採を業とする造園業者と限らず、一般市民の立場からも日頃の剪定・伐採作業の際に感じる不便さの解決手段であり、作業条件の緩和、能率向上の観点から、労働力軽減に資すると考えられる。なおこの発明品の構造はポール柄の材質形状を変えたり、先端の鋸刃体を剪定鋸でなくスライドストローク動作を利用する鉤鉈状の刃物にするなど、工夫交換の余地も多く利用対象を高樹木枝の剪定伐採とは限定せず、高樹木に実った果物を枝ごと収穫する場合とか、海中の海草の刈り取り収穫等へと応用も考えられる。
【図面の簡単な説明】
【００２０】
【図１】  図１は本発明品の使用状態を示す模式図である。
【図２】  図２は本発明品を３分割した模式図であり、図２Ａは先端フック部、図２Ｂは木挽把手のある中間部、図２Ｃはフック操作把手と、フック緊緩レバー、ストッパー金具、ストッパー解放ピンのある手元部を示す模式図である。
【図３】  図３は本発明品のフック支持ポールを２分割した模式図であり、図３Ａは先端フック側を、図３Ｂは手元側を示す模式図である。
【図４】  図４は本発明品の先端部と手元部を示す斜視図であり、図４Ａは先端フック部を、図４Ｂは手元締緩レバー部示す。
【符号の説明】
【００２１】  １０・・・グリップフック
１１・・・フック受金
１２・・・鋸固定金具
１３・・・鋸刃体
１４・・・木挽スライドポール
１５・・・木挽把手
１６・・・先端緩衝コイルばね
１７・・・手元緩衝コイルばね
１８・・・フック操作把手
１９・・・フック支持ポール
２０・・・ストッパー金具
２１・・・ストッパー解放ピン
２２・・・フック緊緩レバー
２３・・・操作リング
２４・・・鋸刃体取付蝶ねじ
２５・・・取付脚
２６・・・固定バンド
３０・・・フックガイド筒
３１・・・フック操作軸芯
３２・・・操作軸芯安定コイルばね
３３・・・レバーガイド筒
３４・・・異径管継手
【図１】
2006296393.tif 000003
【図２】
2006296393.tif 000004
【図３】
2006296393.tif 000005
【図４】
2006296393.tif 000006